(57)【要約】【課題】  アプリケーションプログラムに対してプロセスデータの入出力全体をデータの形式、形態、格納アドレスに拠らないシンボル文字列によって統一された手続きによるデータ参照機能を備えたデータ管理装置を得る。【解決手段】  アプリケーションプログラム２からのプロセスデータ入出力要求８を処理するプロセスデータ入出力処理部１と、アプリケーションプログラムに対してプロセスデータの入出力全体をデータの形式、形態、格納アドレスに拠らないシンボル文字列によって統一された手続きが可能となるように参照定義するデータ参照定義部３とを備える。【選択図】    図１
2006330786.tif 000002
【特許請求の範囲】
【請求項１】
プラント制御システムの統括計算機におけるプロセスデータ管理装置において、
アプリケーションプログラムからのプロセスデータ入出力要求を処理するプロセスデータ入出力処理部と、
アプリケーションプログラムに対してプロセスデータの入出力全体をデータの形式、形態、格納アドレスに拠らないシンボル文字列によって統一された手続きが可能となるように参照定義するデータ参照定義部と、
を備えたことを特徴とするプロセスデータ管理装置。
【発明の詳細な説明】
【技術分野】
【０００１】
この発明は、プラント制御システムの統括計算機におけるプロセスデータ管理装置に関するものである。
【背景技術】
【０００２】
従来のプラント制御システムの統括計算機におけるプロセスデータ管理装置においては、アプリケーションプログラムが個々のプロセスデータへアクセスする場合、プロセスデータの形式、形態、格納アドレスの内の一つもしくは複数を意識した作りとなっている。
なお、従来技術として、計算機上で扱う図式データを実体、概念、シンボルの各部類に分割して実体管理部、概念管理部およびシンボル管理部にて管理し、かつこれらの関係を関係管理部にて管理することにより、関係管理部の定義内容を変更するだけで図式データの表現形式を変換部を通じて一意に変更することができるデータ管理システムがある（例えば、特許文献１参照）。
【０００３】
【特許文献１】特開平５−１１９９９０号公報
【発明の開示】
【発明が解決しようとする課題】
【０００４】
従来のプラント制御システムの統括計算機におけるプロセスデータ管理装置においては、プロセスデータの入出力全体を統一された手続きで提供する機能を持たず、アプリケーションプログラムが個々のプロセスデータへアクセスする場合、プロセスデータの形式、形態、格納アドレスの内の一つもしくは複数を意識した作りとする必要があった。
【０００５】
この発明は上記のような課題を解決するためになされたものであり、アプリケーションプログラムに対してプロセスデータの入出力全体をデータの形式、形態、格納アドレスに拠らないシンボル文字列によって統一された手続きによるデータ参照機能を備えたデータ管理装置を提供することを目的とする。
【課題を解決するための手段】
【０００６】
この発明に係るプロセスデータ管理装置においては、プラント制御システムの統括計算機におけるプロセスデータ管理装置において、アプリケーションプログラムからのプロセスデータ入出力要求を処理するプロセスデータ入出力処理部と、アプリケーションプログラムに対してプロセスデータの入出力全体をデータの形式、形態、格納アドレスに拠らないシンボル文字列によって統一された手続きが可能となるように参照定義するデータ参照定義部とを備えるものである。
【発明の効果】
【０００７】
この発明によれば、プロセスデータの入出力全体がデータの形式、形態、格納アドレスに拠らないシンボル文字列による統一された手続きによって参照できるので、アプリケーションプログラムが簡素化されることにより、品質が向上するともに、機能製造・試験の工数を削減することができる。
【発明を実施するための最良の形態】
【０００８】
実施の形態１．
図１はこの発明の実施の形態１におけるプラント制御システムの統括計算機におけるプロセスデータ管理装置を示す機能構成図、図２はプロセスデータの入出力全体をデータの形式、形態、格納アドレスに拠らないシンボル文字列によって統一された手続きによるデータ参照機能を示す系統図である。
図１において、Ａ、Ｂ、Ｃは複数の統括計算機、１はこれら複数の統括計算機Ａ、Ｂ、Ｃに跨り、各アプリケーションプログラム２に対し、プロセスデータ入出力手続きを提供するプロセスデータ入出力処理部、３はデータ参照定義部である。このデータ参照定義部３は、システム全体のプロセスデータの入出力全体を、データの形式、形態、格納アドレスに拠らないシンボル文字列によって統一された手続きが可能となるように参照定義して一元管理するデータベースである。４は各統括計算機Ａ、Ｂ、Ｃのデータ格納部である。各統括計算機内のプロセスデータは、主に、メモリ４ａ、編成ファイル４ｂ、リレーショナルデータベース４ｃ等の形式、形態でデータ格納部４に格納されている。５はプロセスコントローラで、制御ＬＡＮ６を持っており、統括計算機Ａ、Ｂ、Ｃはゲートウェイ７を介して制御ＬＡＮ６に接続されている。
【０００９】
次に、動作について説明する。
図１において、各統括計算機Ａ、Ｂ、Ｃの各アプリケーションプログラム２はプロセスデータ入出力処理部１にシンボル文字列によるプロセスデータ入出力要求８を送る。プロセスデータ入出力処理部１はデータ参照定義部３から入出力要求８のシンボル文字列に該当するプロセスデータの形式、形態、格納アドレスを読み出し、データ格納部４もしくは制御ＬＡＮ６に対して該当するプロセスデータの入出力処理９を行う。
プロセスデータ入出力要求８において、入力要求の場合は、該当するプロセスデータをデータ格納部４もしくは制御ＬＡＮ６から読み出し、要求元のアプリケーションプログラム２に渡す。出力要求の場合は、指定されたデータをデータ格納部４もしくは制御ＬＡＮ６に書き込む。
プロセスデータの形式、形態は主に統括計算機内のメモリ４ａ、編成ファイル４ｂ、リレーショナルデータベース４ｃ、および制御ＬＡＮ６上のコモンメモリがあり、データ参照定義部３は、各プロセスデータのシンボル毎に以下の定義を一元管理する。
メモリ：統括計算機名称、構造体名称、項目名称
編成ファイル：統括計算機名称、ファイルパス、ファイル名称、レコード名称、項目名称
データベース：統括計算機名称、データベース名称、テーブル名称、レコード名称、項目名称
制御ＬＡＮ： アドレス、データ長
なお、図２に、プロセスデータの入出力全体をデータの形式、形態、格納アドレスに拠らないシンボル文字列によって統一された手続きが可能となるように参照定義して一元管理している様子を示す。
【図面の簡単な説明】
【００１０】
【図１】この発明の実施の形態１におけるプラント制御システムの統括計算機におけるプロセスデータ管理装置を示す機能構成図である。
【図２】プロセスデータの入出力全体をデータの形式、形態、格納アドレスに拠らないシンボル文字列によって統一された手続きによるデータ参照機能を示す系統図である。
【符号の説明】
【００１１】
Ａ、Ｂ、Ｃ  統括計算機
１  プロセスデータ入出力処理部
２  アプリケーションプログラム
３  データ参照定義部
４  データ格納部
４ａ  メモリ
４ｂ  編成ファイル
４ｃ  リレーショナルデータベース
５  プロセスコントローラ
６  制御ＬＡＮ
７  ゲートウェイ
８  入出力要求
９  入出力処理
【図１】
2006330786.tif 000003
【図２】
2006330786.tif 000004